(57)【特許請求の範囲】
【請求項１】
送信端末と受信端末の間で映像信号の送受信が行なわれる通信システムであって、
前記送信端末から前記受信端末に対して映像信号を送信する際に使用する無線周波数帯域をモニターするモニター手段と、
前記モニター手段で、他の無線システムから発信されたビーコン信号を検知した場合に、検知したビーコン信号を解析して、前記ビーコン信号が発信される期間を予想する発信期間推測手段とを備え、
前記発信期間推測手段により前記ビーコン信号の発信が予想される期間中は、前記送信端末から前記受信端末への前記映像信号の送信を停止させ、前記送信を停止している期間中は、前記映像信号を前記送信端末内のバッファに蓄積させ、前記ビーコン信号の発信が予想される期間の経過後、前記バッファに蓄積した映像信号を、映像信号同期情報とともに、前記受信端末に送信させ、
前記受信端末は、前記送信端末から送信された映像信号及び映像信号同期情報を受信し、前記受信した映像信号及び前記映像信号同期情報に基いて、映像表示規格に沿った映像信号を生成して、出力し、
前記送信端末は、前記映像信号を前記バッファに記憶されたのと同じ順序で、当該映像信号のブランキング期間をも利用して送信し、
前記発信期間推測手段が、前記受信端末に設けられたビーコン解析部を含み、前記ビーコン解析部による解析の結果得られる前記ビーコン信号の発信が予想される期間と前記ビーコン信号の送信周期を示す情報が、前記受信端末から前記送信端末へ送信される
ことを特徴とする通信システム。
【請求項２】
前記モニター手段が、前記受信端末に設けられたビーコン受信部を含むことを特徴とする請求項１に記載の通信システム。
【請求項３】
前記受信端末が、前記送信端末から送信された映像信号及び前記映像信号同期情報を記憶するバッファと、前記バッファからの読み出しを制御する読み出し制御部とを有し、
前記読み出し制御部は、前記送信端末から送信された前記映像信号同期情報と、
前記ビーコン信号の発信が予想される期間と、前記ビーコン信号の送信周期を示す情報とに基づいて、前記バッファの読み出し開始時刻を制御することを特徴とする請求項１に記載の通信システム。
【請求項４】
一般的な無線ＬＡＮビーコンの送信周期を想定して予め定められた値に基づいて、前記受信端末の前記バッファの容量の上限が決められることを特徴とする請求項１又は２に記載の通信システム。
【請求項５】
前記ビーコン信号の発信が予想される期間を示す情報から、前記映像信号の送信が停止される期間を予想し、該予想した期間の送信データを緩衝可能なように、前記受信端末の前記バッファの容量が定められることを特徴とする請求項１又は２に記載の通信システム。
【請求項６】
ネットワークを通じて受信端末と接続され、外部から供給される映像信号を前記受信端末に送信する送信端末であって、
前記映像信号を記憶するバッファと、
前記バッファに記憶された前記映像信号を、前記無線ネットワークを通じて前記受信端末に送信する通信部と、
前記送信端末から前記受信端末に対して前記映像信号を送信する際に使用する無線周波数帯域において、他の無線システムによりビーコン信号の発信が予想される期間に、前記送信端末から前記受信端末への前記映像信号の送信を停止させ、前記送信を停止している期間中は、前記バッファに前記映像信号を蓄積させ、前記ビーコン信号の発信が予想される期間の経過後、前記受信端末に対して前記バッファに蓄積した前記映像信号を、映像信号同期情報とともに、前記通信部により、前記受信端末に送信させる通信制御部とを備え、
前記通信制御部は、前記映像信号を前記バッファに記憶されたのと同じ順序で、当該映像信号のブランキング期間をも利用して送信させる
ことを特徴とする送信端末。
【請求項７】
前記送信端末から前記受信端末に前記映像信号を送信する際に使用する無線周波数帯域をモニターするビーコン受信部と、
前記ビーコン受信部で前記ビーコン信号を検知した場合に、検知したビーコン信号を解析して、前記ビーコン信号が発信される期間を予想する解析部とをさらに備える
ことを特徴とする請求項６に記載の送信端末。
【請求項８】
前記通信部は、前記予想される期間を示す情報を、前記受信端末に向けて送信することを特徴とする請求項７に記載の送信端末。
【請求項９】
前記送信端末から前記受信端末に前記映像信号を送信する際に使用する無線周波数帯域をモニターした結果検知された、前記他の無線システムによるビーコン信号の受信時刻と送信周期を示す情報が前記受信端末から前記送信端末に送信され、
前記受信端末から送信された前記ビーコン信号の受信時刻と送信周期を示す情報に基づいて前記ビーコン信号が発信される期間を予想する発信期間推測手段をさらに有し、
前記通信制御部が、前記発信期間推測部により予想される期間を示す情報に基づいて、前記バッファ及び前記通信部に対する制御を行う
ことを特徴とする請求項６に記載の送信端末。
【請求項１０】
送信端末から送信された映像信号を受信する受信端末であって、
前記送信端末から送信された映像信号及び映像信号同期情報を受信する通信部と、
前記通信部で受信した前記映像信号及び映像信号同期情報を記憶するバッファと、
前記バッファに記憶された前記映像信号同期情報から、映像表示規格に沿って前記記憶した映像信号を読み出す読み出し制御部と、
他の無線システムから発信されたビーコン信号を検知した場合に、検知したビーコン信号を解析するビーコン解析部とを有し
前記ビーコン解析部による解析の結果得られる前記ビーコン信号の発信が予想される期間と前記ビーコン信号の送信周期を示す情報を前記送信端末へ送信する
ことを特徴とする受信端末。
【請求項１１】
前記読み出し制御部は、前記他の無線システムによるビーコン信号が一般的な無線ＬＡＮビーコンの送信周期を持つものとして前記バッファの読み出しの制御を行うことを特徴とする請求項１０に記載の受信端末。
【請求項１２】
前記読み出し制御部は、前記ビーコン解析部で取得された前記ビーコン周期情報及び前記ビーコン解析部で発信が予想される期間に基づいて、前記バッファからの読み出しを制御することを特徴とする請求項１０に記載の受信端末。
【請求項１３】
前記バッファの容量が、前記映像信号同期情報、前記ビーコンの周期情報、及び前記ビーコン信号の発信が予想される期間を示す情報に基づいて定められることを特徴とする請求項１０に記載の受信端末。
【発明の詳細な説明】
【技術分野】
【０００１】
本発明は、無線ネットワークにより映像信号の送受信を行う映像信号送信端末、映像信号受信端末、及び通信システムに関する。
【背景技術】
【０００２】
無線通信システムは、有線ネットワークにおける配線の煩わしさを取り除き、柔軟に端末の配置を行えるなどの利点から企業や家庭に広く普及している。
【０００３】
無線ＬＡＮとして広く普及しているＩＥＥＥ８０２．１１ａ／ｂ／ｇに準拠した無線通信システムは、法律上、無免許で使用可能な帯域であるＩＳＭ（Ｉｎｄｕｓｔｒｉａｌ，  Ｓｃｉｅｎｔｉｆｉｃ  ａｎｄ  Ｍｅｄｉｃａｌ）バンドを使用しており、無線ＬＡＮ以外の端末が同一周波数帯域を使用することも可能である。然るに、現在の無線通信システムでは、同一周波数帯域に異なるシステムが同時に存在する場合の環境についての考慮がなされていないことが多いため、そのような場合には無線信号の干渉が生じ、無線通信システムで通信エラーが発生する要因となる。
【０００４】
つまり、同じアクセス制御を行う同種の無線通信端末が共存する環境では、互いに相手端末が発信する信号を解析し、信号の衝突ができるだけ発生しないよう送信タイミングの制御等を行うが、プロトコルの異なる端末が混在する環境では、信号の衝突を回避できず、互いの通信を阻害してしまう。
【０００５】
例えば、無線通信システムの構築時には、周辺の電波環境を測定し、信号の干渉が一定以下となる周波数帯域を選択することが可能であるが、無線通信システムの構築後にも電波環境は変化するため、無線信号の干渉状況を監視し、例えば周波数帯域を変更するなどの対応を行う必要がある。
【０００６】
特許文献１には、無線通信において、受信した信号の信号強度が基準信号強度よりも高い場合に他の無線通信システムが通信を行っていると判断し、そのタイミングで無線通信を行わないよう制御することで信号の相互干渉を回避する無線通信装置について記載されている。
【先行技術文献】
【特許文献】
【０００７】
【特許文献１】特開２００３−３７５２９号公報
【発明の概要】
【発明が解決しようとする課題】
【０００８】
しかしながら、特定のタイミングでの信号の伝送が必要となる映像伝送システムの場合、他の無線通信システムからの信号を検知したとしても、特定のタイミングでの映像表示に間に合うにように信号を伝送する必要があり、他の無線通信システムからの信号のタイミングに合わせて送信停止するだけの制御では、映像信号を規定の表示タイミングに間に合うよう伝送できないなどの問題が発生する可能性がある。また、他の無線通信システムからの信号のタイミングに合わせて一定以上のレベル(信号強度)の信号を送信することで、他の無線通信システムからの干渉に対し、そのタイミングで送信される信号を正常に受信することができると考えられるが、その分消費電力の増大に繋がってしまうと共に他の無線通信システムの通信を阻害するなどの可能性がある。
【０００９】
特許文献１の発明は、無線通信において、受信した信号の信号強度が基準信号強度よりも高い場合に他の無線通信システムが通信を行っていると判断し、そのタイミングで無線通信を行わないよう制御することで信号の相互干渉を回避するものであるが、送信先のデータについて映像データとして正常な表示ができるよう、制御するものではない。
【００１０】
そこで、本発明は以上のことを鑑み、映像信号送信端末と映像信号受信端末間の通信に干渉するような無線ＬＡＮビーコンが存在する場合にも、映像信号受信端末において、映像表示規格に沿ったタイミングで映像を表示することが可能なように、映像信号送信端末から映像信号受信端末への映像信号の送信を可能にすることを目的とする。
【課題を解決するための手段】
【００１１】
上記の課題を解決するために、本発明の通信システムは、
送信端末と受信端末の間で映像信号の送受信が行なわれる通信システムであって、
前記送信端末から前記受信端末に対して映像信号を送信する際に使用する無線周波数帯域をモニターするモニター手段と、
前記モニター手段で、他の無線システムから発信されたビーコン信号を検知した場合に、検知したビーコン信号を解析して、前記ビーコン信号が発信される期間を予想する発信期間推測手段とを備え、
前記発信期間推測手段により前記ビーコン信号の発信が予想される期間中は、前記送信端末から前記受信端末への前記映像信号の送信を停止させ、前記送信を停止している期間中は、前記映像信号を前記送信端末内のバッファに蓄積させ、前記ビーコン信号の発信が予想される期間の経過後、前記バッファに蓄積した映像信号を、映像信号同期情報とともに、前記受信端末に送信させ、
前記受信端末は、前記送信端末から送信された映像信号及び映像信号同期情報を受信し、前記受信した映像信号及び前記映像信号同期情報に基いて、映像表示規格に沿った映像信号を生成して、出力し、
前記送信端末は、前記映像信号を前記バッファに記憶されたのと同じ順序で、当該映像信号のブランキング期間をも利用して送信し、
前記発信期間推測手段が、前記受信端末に設けられたビーコン解析部を含み、前記ビーコン解析部による解析の結果得られる前記ビーコン信号の発信が予想される期間と前記ビーコン信号の送信周期を示す情報が、前記受信端末から前記送信端末へ送信される
ことを特徴とする。
【発明の効果】
【００１２】
本発明によれば、映像信号送信端末と映像信号受信端末の間の通信に干渉するような無線ＬＡＮビーコンが存在する場合にも、映像信号受信端末において、映像表示規格に沿ったタイミングで映像を表示することができるように、映像信号送信端末から映像受信端末への映像信号の送信が可能となる。
【図面の簡単な説明】
【００１３】
【図１】本発明の実施の形態における通信システムの構成例を示す図である。
【図２】本発明の実施の形態１における映像信号送信端末及び映像信号受信端末の構成例を示す図である。
【図３】（ａ）〜（ｄ）は、本発明の実施の形態における映像信号送信端末の送信停止タイミングの例を示す図である。
【図４】（ａ）〜（ｆ）は、本発明の実施の形態における映像信号送信端末及び映像信号受信端末における信号送信・停止タイミング、及び映像信号送信端末及び映像信号受信信端に設けられたバッファ内のデータ量の変化の例を示す図である。
【図５】本発明の実施の形態２における映像信号送信端末及び映像信号受信端末の構成例を示す図である。
【図６】本発明の実施の形態３における映像信号送信端末及び映像信号受信端末の構成例を示す図である。
【図７】本発明の実施の形態５における映像信号送信端末及び映像信号受信端末を示す図である。
【図８】本発明の実施の形態６における映像信号送信端末及び映像信号受信端末の構成例を示す図である。
【発明を実施するための形態】
【００１４】
実施の形態１．
本発明における実施の形態１を図１、図２、図３（ａ）〜（ｄ）、及び図４（ａ）〜（ｆ）を用いて説明する。図１は、本発明の実施の形態における通信システムの構成例を示す。
図示の通信システムは、映像信号送信端末１００と映像信号受信端末２００とを備え、これらは無線通信ネットワーク４００を介して、所定の（割り当てられた）無線周波数帯を使用して映像信号、及びその他のデータの伝送を行う。なお、送信端末１００と受信端末２００とは同期した時刻情報を有するものとする。
【００１５】
本発明は、無線通信ネットワーク４００と同じ（少なくとも一部が重なる）無線周波数帯で送信を行う他の無線システム、例えば無線ＬＡＮを構成するアクセスポイント（ＡＰ）３００及び無線ＬＡＮ端末３１０を含む無線システムが存在し、該アクセスポイント３００が上記の無線周波数帯域を使って一定送信周期で無線ＬＡＮビーコンを送信している場合に、映像信号送信端末１００から映像信号受信端末２００への映像信号の送信における問題を解決するものである。以下では、「映像信号送信端末」を単に「送信端末」と言い、「映像信号受信端末」を単に「受信端末」と言う。
【００１６】
図２は実施の形態１における送信端末１００及び受信端末２００の構成例を示す。図示の送信端末１００は、通信部１０１、バッファ１０２、通信制御部１０３、ビーコン受信部１０４、及びビーコン解析部１０５を備える。
【００１７】
送信端末１００は、映像供給源(映像ソース)１１０から所定の規格に沿った（準拠した）タイミングで映像信号の供給を受ける。この映像信号には、映像信号同期情報が付加されている。
バッファ１０２は、映像供給源１１０から供給される映像信号及び映像信号同期情報を記憶する。
【００１８】
通信部１０１は、映像信号及び映像信号同期情報をバッファ１０２から読み出して、その他のデータとともに受信端末２００に対し送信する。上記の「その他のデータ」には、映像信号の送信の制御に用いられる情報、例えば後述のビーコンの解析結果を示す情報が含まれる。送信される映像信号は、例えば１０８０ｐ／６０ＨｚのＨＤ映像信号であり、送信は非圧縮で行われる。
【００１９】
ビーコン受信部１０４は、映像信号及びその他のデータを送信する際に使用する無線周波数帯域（上記の「所定の無線周波数帯）をモニタし、無線ＬＡＮビーコンの検知乃至受信を行い、無線ＬＡＮビーコン受信時刻（検出タイミング）と無線ＬＡＮビーコン信号をビーコン解析部１０５に伝える。
【００２０】
ビーコン解析部１０５はビーコン受信部１０４から受け取った無線ＬＡＮビーコンを解析し、無線ＬＡＮビーコンを受信した時刻（検出タイミング）と無線ＬＡＮビーコンに含まれるビーコン送信周期情報及びビーコン送信時間情報に基づいて、それ以降例えば次に、無線ＬＡＮビーコンが発信されるタイミング(占有期間）を予想乃至推測して、予想乃至推測の結果を、通信制御部１０３に伝えて送信端末内における送信の制御を行う。また、このようにして推測される占有期間を示す情報と、無線ＬＡＮビーコン周期情報が、通信部１０１により受信端末２００に送信される。
【００２１】
この「占有期間」は、無線ＬＡＮビーコンが、取得したビーコン送信周期で周期的に発生され、取得した送信時間情報で示される時間の間継続するものと想定した場合に、それ以降例えば次に当該無線周波数帯域が周期的に占有される期間を意味する。
【００２２】
無線ＬＡＮビーコンは、アクセスポイントから一定送信周期で送信されるフレームで、無線ＬＡＮビーコンには、無線ＬＡＮネットワークの識別情報を示すＳＳＩＤ（Ｓｅｒｖｉｃｅ  Ｓｅｔ  Ｉｄｅｎｔｆｉｅｒ）、もしくはＢＳＳＩＤ（Ｂａｓｉｃ  Ｓｅｒｖｉｃｅ  Ｓｅｔ  Ｉｄｅｎｔｉｆｉｃａｔｉｏｎ）、及び無線ＬＡＮビーコンの送信周期を示す情報（Ｂｅａｃｏｎ  Ｉｎｔｅｒｖａｌ)が含まれるため、各無線ＬＡＮネットワークの無線ＬＡＮビーコン受信タイミングとビーコン送信周期を確認することで、無線ＬＡＮビーコンが発信される期間（占有期間）を推測することができる。
【００２３】
即ち、ビーコン解析部１０５は、取得した無線ＬＡＮビーコン受信時刻と無線ＬＡＮビーコン情報に基づいて、無線ＬＡＮビーコンが発信される期間（占有期間）を推測し、推測した占有期間を通信制御部１０３に知らせる。
【００２４】
通信制御部１０３は、通信部１０１を制御して、上記の推測される占有期間の間は、映像信号の送信を停止させるとともに、バッファ１０２からの映像信号の読み出しを停止するとともに、占有期間を示す情報を受信端末２００に送信する。
【００２５】
なお、ブランキング期間中には有効な映像信号が送信されないので、ブランキング信号と無線ＬＡＮビーコンの占有期間が重なっても、通信部１０１による送信は停止されない。
【００２６】
図２に示される受信端末２００は通信部２０１、バッファ２０２、及び読み出し制御部２０３を備え、上記の所定の（割り当てられた）無線周波数帯域を使用して映像信号、及びその他のデータの伝送を行う。
【００２７】
受信端末２００においては、例えば、送信端末１００から送信された映像信号及び映像信号同期情報を受信し、バッファ２０２に記憶し、バッファ２０２に記憶された映像信号及び映像信号同期情報が読み出し制御部２０３の指示に従って規定の映像表示タイミングに沿ったタイミングで読み出され、映像表示部２１０に対して出力される。
【００２８】
通信部２０１は、送信端末１００から送信された映像信号、映像信号同期情報、ビーコンの占有期間を示す情報、及びビーコンの送信周期情報を受信する。
バッファ２０２は、通信部２０１で受信した映像信号及び映像信号同期情報を記憶する。
通信部２０１で受信した、映像信号同期情報、並びに無線ＬＡＮビーコンの解析結果、即ち推測される占有期間を示す情報、及びビーコンの送信周期情報は、読み出し制御部２０３に送られる。
【００２９】
読み出し制御部２０３は、送信端末１００から送信された映像信号同期情報、ビーコンの占有期間を示す情報、及びビーコンの送信周期情報に基づいて、ビーコンの占有期間を考慮して、十分な映像信号をバッファ２０２に蓄えた上で、読み出しが開始されるように、バッファ２０２の読み出しを制御する。これにより、映像表示部２１１で映像表示が破綻なく、正常に行えるようにする。
【００３０】
例えば、占有期間が長いほど、バッファ２０２に蓄積するデータの量を多くする必要があり、同様にビーコンの送信周期が短いほど、バッファ２０２に蓄積するデータの量を多くする必要がある。また、映像信号のブランキングが期間とビーコンの占有期間とが重なる場合には、重なる度合いが大きいほど、バッファ２０２に蓄積するデータの量は少なくて済む。以上の点を総合的に考慮して、バッファ２０２に蓄積するデータの量を定め、読み出しの制御を行う。
【００３１】
読み出し開始後は、読み出し制御部２０３は、バッファ２０２に記憶された映像信号を、映像の破綻が生じないように、映像表示規格に沿ったタイミングでバッファ２０２から読み出して、映像表示部２１１に対する供給を続け、これにより、映像表示部２１０において、映像表示が正常にできるようにする。読み出し制御部２０３は、バッファ２０２から映像信号を読み出す際に、映像信号同期情報をも読み出して、ブランキング期間の同期信号を生成して、同期信号を含む映像信号を復元して、映像表示部２１０に供給する。
【００３２】
なお、上記のように、バッファ２０２に十分な量の映像信号を蓄えた上で読み出しを開始する処理、即ち読み出し開始時点の制御は、読み出し開始時にバッファ２０２に蓄積されているデータ量を決める処理であり、バッファ２０２に蓄積するデータ量の上限、言い換えるとバッファ２０２が確保すべき容量を決める処理であるとも言える。このようにしてバッファ２０２に蓄積されるデータ量の上限を決め、映像信号の送受信を行っている間は、その容量を常に映像信号の蓄積のために確保することにより、バッファ２０２内に蓄積されている映像信号のデータ量の変動に拘わらず、必要な容量の再計算を繰り返す必要がないという利点がある。
【００３３】
また、ビーコンの占有期間、無線ＬＡＮビーコンの周期、及び映像同期情報に基づいて、無線ＬＡＮビーコンとの干渉を回避するために映像信号の送信が停止される時間を予想し、予想した期間に基づいて、バッファ２０２の容量を定めることにより、映像表示を破綻させることなく、映像表示規格に沿ったタイミングで映像を表示させることができる。
【００３４】
以下、図３（ａ）〜（ｄ）を用いて、通信制御部１０３の送信停止タイミングの例を説明する。図３（ａ）〜（ｄ）で、横軸は時間を示す。図３（ａ）〜（ｄ）では、周辺に２台のアクセスポイント３００Ａ及び３００Ｂが動作している場合を想定している。
【００３５】
図３（ａ）は映像供給源１１０から送信端末１００に、映像信号の規格に沿ったタイミングで供給される映像信号を示す。この映像信号には、水平ブランキング期間及び垂直ブランキング期間と呼ばれる映像信号を送信しない期間が一定の頻度で含まれている。通常動作時には、送信端末１００は、映像供給源１１０から供給される映像信号をそのまま、即ち同じタイミングで受信端末２００に送信する。
【００３６】
図３（ｂ）及び（ｃ）は送信端末１００と同じ無線周波数帯を使用する第１のアクセスポイント３００Ａ、及び第２のアクセスポイント３００Ｂがそれぞれ時刻Ｔ６１から時刻Ｔ６２の期間、及び時刻Ｔ６３から時刻Ｔ６４の期間（タイミング）において送信端末１００と受信端末２００間の通信に干渉するような無線ＬＡＮビーコンを発信していることを示す。尚、アクセスポイントの１回のビーコンを発信する期間及びビーコンの発信される頻度は設定によって様々である。
【００３７】
図３（ｄ）は、送信端末１００の送信出力を示す。図３（ｄ）に示す例では、送信端末１００が時刻Ｔ６１から時刻Ｔ６２の期間、及び時刻Ｔ６３から時刻Ｔ６４の期間においては送信端末１００から送信される信号の送信を停止する。
【００３８】
送信端末１００の通信制御部１０３は、ビーコン解析部１０５により推測される第１のアクセスポイント３００Ａ、及び第２のアクセスポイント３００Ｂの無線ＬＡＮビーコン発信期間、即ち時刻Ｔ６１から時刻Ｔ６２の期間、及び時刻Ｔ６３から時刻Ｔ６４の期間（占有期間）にバッファ１０２からのデータの読み出しを停止し、通信部１０１の送信出力を停止するように通信部１０１に対して指示を与える。読み出しを停止する結果、バッファ１０２内には、映像供給源１１０から連続して供給される映像信号が蓄積される。
【００３９】
通信制御部１０３はまた、送信停止期間後は停止期間中バッファ１０２に蓄積されたデータをブランキング期間も利用して順次（バッファ１０２に書き込まれた順に）送信するよう指示を与える。ここで「ブランキング期間も利用して送信する」とは、各水平周期の最後のブランキング期間をあけることなく、次の水平周期の映像信号（有効な映像信号）の送信を開始することとし、同様に、各垂直周期の最後のブランキング期間をあけることなく、次の垂直周期の映像信号の送信を開始することを意味する。
【００４０】
そして、このようにして送信する映像信号ととともに、映像信号同期情報を送信する。この映像信号同期情報は、映像信号に含まれる同期信号の位置（映像信号に対する時間軸上の相対位置）、及び波形（時間軸方向の長さ、及び各時点におけるレベル）を表すものである。
【００４１】
図４（ａ）〜（ｆ）に周辺のアクセスポイント３００のビーコン信号と、送信端末１００の出力、受信端末２００の出力、送信端末１００内のバッファ１０２内データ量、受信端末２００内のバッファ２０２内のデータ量を示す。図４（ａ）〜（ｆ）では、周辺に１台のアクセスポイント３００Ｃが動作している場合を想定している。
【００４２】
図４（ａ）は映像供給源１１０から送信端末１００への出力を示し、映像信号の規格に沿ったタイミングで信号が送信される。図４（ｂ）はアクセスポイント３００Ｃから送信されているビーコンを示す。図４（ｂ）に示すように、アクセスポイント３００Ｃが時刻Ｔ６７から時刻Ｔ６８の期間にビーコンを送信しており、図４（ｃ）に示すように、その期間において、送信端末１００は送信を停止する。
【００４３】
図４（ｄ）に示した送信端末１００のバッファ１０２内のデータ量は映像信号の送信を停止している時刻Ｔ６７から時刻Ｔ６８の期間増加を続ける。その後、ブランキング期間も利用して停止中に送信できなかったデータを送信するため、ブランキング期間を経る毎に送信端末１００のバッファ１０２内のデータ量は減少する。
【００４４】
一方、図４（ｆ）は受信端末２００バッファ２０２内のデータ量の推移を示し、図４（ｅ）は受信端末２００の映像表示部２１１への出力を示す。
【００４５】
受信端末２００は送信端末１００からの映像信号、映像信号同期情報、ビーコンの占有期間を示す情報、及びビーコンの送信周期情報を通信部２０１で受け取り、読み出し制御部２０３は、ビーコンの占有期間を示す情報に基づいて映像表示部２１１での映像表示が正常にできるようなタイミングで、バッファ２０２からの映像信号の読み出しを開始する。
【００４６】
以上のように、本実施の形態では、送信端末１００と受信端末２００から構成される通信ネットワークにおいて、同じ無線周波数帯で無線ＬＡＮビーコンを発信するアクセスポイントが存在する場合に、アクセスポイントが発信する無線ＬＡＮビーコンの占有期間に送信を停止することとしているので、アクセスポイントが発信する無線ＬＡＮビーコンの干渉による影響を抑制し、送信端末１００及び受信端末２００間で安定した品質による送受信を実現することができる。
【００４７】
また、無線ＬＡＮビーコンの干渉回避のために送信信号を高レベルにするといった処理を行わないため、送信端末１００の消費電力を増大させることなく、無線ＬＡＮビーコンの干渉を回避することができ、遠くまで送信信号が送信されて、送信信号が傍受される危険性などを小さくすることができる。
【００４８】
また、送信端末１００から受信端末２００に映像信号同期情報を送信することにより、受信端末２００において映像表示規格に沿ったタイミングで映像表示を行うことができる。
【００４９】
なお、上記の例では、ビーコンの占有期間を示す情報及びビーコンの送信周期を示す情報を、送信端末１００から受信端末２００に送信することとしているが、これらのうちの一方のみを送信し、受信端末においては、送信された情報に基づいてバッファ２０２の読み出しの制御を行うこととしても良い。
【００５０】
実施の形態２．
図５は実施の形態２における送信端末１００及び受信端末２００の構成例を示す。図５において、図２と同じ符号は同一ないし対応する部材を示す。
図５に示される受信端末２００は、図２に示される受信端末２００と概して同じであるが、占有期間推測部２０６を備えている。
【００５１】
実施の形態１では、送信端末１００のビーコン解析部１０５で推測したビーコンの占有期間を示す情報が受信端末２００に送信されるが、実施の形態２では、送信端末１００のビーコン解析部１０５で取得した無線ＬＡＮビーコンの検出のタイミングを示す情報が、映像信号及び映像信号同期情報とともに、送信端末１００から受信端末２００に送信される一方、無線ＬＡＮビーコン周期情報及び占有期間を示す情報は受信端末には送信されない。
【００５２】
受信端末２００では、通信部２０１で、映像信号及び映像信号同期情報、並びに無線ＬＡＮビーコンの検出タイミングを示す情報を受信し、映像信号同期情報を読み出し制御部２０３に供給するとともみ、無線ＬＡＮビーコンの検出のタイミングを示す情報を占有期間推測部２０６に供給し、占有期間推測部２０６においては、供給された映像信号同期情報と、無線ＬＡＮビーコンの検出のタイミングを示す情報と、一般的な無線ＬＡＮビーコンの送信周期を示す情報とに基づいて、ビーコンの占有期間を推測する。なお、一般的な無線ＬＡＮビーコンの送信周期を示す情報は、占有期間推測部２０６内に予め記憶されている。占有期間推測部２０６は、上記の推測結果を読み出し制御部２０３に供給する。
【００５３】
読み出し制御部２０３は、占有期間推測部２０６により推測されるビーコンの占有期間を示す情報、及び一般的な無線ＬＡＮビーコンの送信周期を示す情報、並びに送信端末１００から送信された映像信号同期情報に基づいて、実施の形態１と同様にバッファ２０２からの読み出しを制御する。即ち、映像信号及び映像信号同期情報は、映像の破綻が生じないように、映像表示規格に沿ったタイミングでバッファ２０２から読み出されて、映像表示部２１１に供給され、これにより、映像表示部２１０において、映像表示が正常にできるようにする。
【００５４】
バッファ２０２の容量は、一般的な無線ＬＡＮビーコンの占有期間を想定して予め定められた値に基づいてその上限が定められる。予め定められた値とは、システムが動作している最中に、メモリのサイズを変更する必要がないような、十分大きな値を意味する。
【００５５】
以上のように、構成することで、実施の形態１と同様の効果が得られる。さらに、映像表示のためのバッファ２０２からのデータ読み出しの制御を一般的な無線ＬＡＮビーコンの送信周期に基づいて推測された無線ＬＡＮビーコンの占有期間と、送信端末１００から送信された映像信号同期情報に基づいて決定するため、送信端末から受信端末に送信する情報の量を減らすことができる。
【００５６】
実施の形態３．
図６は実施の形態３における送信端末１００及び受信端末２００の構成例を示す。図６において、図２と同じ符号は同一ないし対応する部材を示す。
図６に示される受信端末２００は、図６に示される受信端末２００と概して同じであるが、占有期間推測部２０６を備えていない。
【００５７】
実施の形態２では、送信端末１００のビーコン解析部１０５で取得した無線ＬＡＮビーコンの検出のタイミングを示す情報が、映像信号及び映像信号同期情報とともに、送信端末１００から受信端末２００に送信されるが、実施の形態３では、映像信号及び映像信号同期情報が受信端末２００に送信される一方、無線ＬＡＮビーコンの検出のタイミングを示す情報は受信端末に送信されない。
【００５８】
受信端末２００では、通信部２０１で、映像信号及び映像信号同期情報を受信し、映像信号同期情報を読み出し制御部２０３に供給し、読み出し制御部２０３では、供給された映像信号同期情報と、予め内部に記憶している一般的な無線ＬＡＮビーコンの送信周期を示す情報とに基づいて、バッファ２０２に読み出しの制御を行う。即ち、映像信号及び映像信号同期情報が、映像の破綻が生じないように、映像表示規格に沿ったタイミングでバッファ２０２から読み出されて、映像表示部２１１に供給されるように、制御を行い、この結果、映像表示部２１０において、映像表示が正常にできるようにする。
【００５９】
バッファ２０２の容量は、一般的な無線ＬＡＮビーコンの送信周期を想定して予め定められた値に基づいて、その上限が定められる。予め定められた値とは、システムが動作している最中に、メモリのサイズを変更する必要がないような、十分大きな値を意味する。
【００６０】
以上のように、構成することで、実施の形態１と同様の効果が得られる。さらに、映像表示のためのバッファ２０２からのデータ読み出しの制御を一般的な無線ＬＡＮビーコンの送信周期を示す情報と、送信端末１００から送信された映像信号同期情報に基づいて決定するため、送信端末から受信端末に送信する情報の量をさらに減らすことができる。
【００６１】
実施の形態４．
実施の形態４で用いられる送信端末１００及び受信端末２００の構成を示すブロック図は、図２と同じである。
実施の形態１では、受信端末２００において、読み出し制御部２０３によりバッファ２０２の読み出しの制御、特にその読み出し開始の制御、従ってバッファ容量の上限の決定を行うが、実施の形態４では、送信端末１００においても、通信制御部１０３がバッファ１０２の読み出しの制御、特にその読み出し開始の制御、従ってバッファ容量の上限の決定を行う。通信制御部１０３におけるバッファ１０２の読み出し開始の制御、即ち上限の決定は、実施の形態１に関して説明した、受信端末２００における、読み出し制御部２０３によるバッファ２０２の読み出し開始の制御と同様である。
【００６２】
また、受信端末２００において映像出力が破綻なく行われるためのバッファ容量を、送信端末１００のビーコン解析部１０５で算出し、受信端末２００に知らせ、受信端末２００の読み出し制御部２０３では、送信端末から知らされたバッファ容量に基づいてバッファ２０２の読み出し制御を行うこととしても良い。
このようにすれば、バッファ容量の計算を、送信端末１００でまとめて行うことができ、受信端末２００における処理負担を減らすことができる。
【００６３】
実施の形態５．
図７は実施の形態５における送信端末１００及び受信端末２００の構成例を示す。図７において、図２と同じ符号は同一ないし対応する部材を示す。図７に示す送信端末１００は、図２に示す送信端末と概して同じであるが、図２のビーコン受信部１０４が設けられておらず、図２のビーコン解析部１０５の代わりに、他機受信ビーコン解析部１０７が設けられている。
【００６４】
図７に示す受信端末２００は、図２に示す受信端末２００と概して同じであるが、ビーコン受信部２０４及びビーコン解析部２０５を備えている。通信部２０１は、送信端末１００に対するビーコン受信状況データの送信、送信端末１００からの映像信号などの受信を行う。
【００６５】
ビーコン受信部２０４は、受信端末２００が、送信端末１００からの映像信号及びその他のデータを受信する際に使用する無線周波数帯域をモニタし、無線ＬＡＮビーコンの検出乃至受信を行い、無線ＬＡＮビーコンの受信時刻（検出タイミング）と無線ＬＡＮビーコン信号（受信した無線ＬＡＮビーコン信号に含まれるデータ）をビーコン解析部２０５に伝える。
【００６６】
ビーコン解析部２０５は、ビーコン受信部２０４より受け取った無線ＬＡＮビーコンを解析し、無線ＬＡＮビーコンを受信した時刻（検出タイミング）とビーコン送信周期情報及びビーコン送信時間情報に基づいて、それ以降例えば次に、無線ＬＡＮビーコンが発信される期間（占有期間）を推測し、推測の結果及びビーコン周期情報を、読み出し制御部２０３に伝えるとともに、無線ＬＡＮビーコンの受信時刻（検出タミング）と無線ＬＡＮビーコン信号をビーコン受信状況データとして、通信部２０１により送信端末１００に送信する。
【００６７】
送信端末１００では、受信端末２００から送信されたビーコン状況データを通信部１０１で受信し、他機受信ビーコン解析部１０７に伝える。
他機受信ビーコン解析部１０７では、ビーコン受信状況データを解析し、受信端末２００で無線ＬＡＮビーコンを受信した時刻と無線ＬＡＮビーコンに含まれるビーコン送信周期情報に基づいて、それ以降例えば次に、無線ＬＡＮビーコンが発信される期間（占有期間）を推測し、推測結果を通信制御部１０３に伝える。
【００６８】
通信制御部１０３では、他機受信ビーコン解析部１０７による推測結果に基づいて、バッファ１０２からの映像信号などの読み出し、及び通信部１０１による映像信号の送信を制御する。即ち、上記の推測結果で示されるビーコン占有期間の間は、映像信号の送信を停止させるとともに、バッファ１０２からの映像信号の読み出しを停止させる。
【００６９】
受信端末２００では、送信端末１００から送信された映像信号及び映像信号同期情報を受信し、バッファ２０２に記憶し、読み出し制御部２０３の指示に従って規定の映像表示タイミングに沿ったタイミングで出力を行う。
【００７０】
受信端末２００の読み出し制御部２０３は、送信端末１００から送信された映像信号同期情報、並びにビーコン解析部２０５から供給されたビーコンの占有期間を示す情報及びビーコンの送信周期情報に基づいて、ビーコンの占有期間を考慮して、十分な映像信号をバッファ２０２に蓄えた上で、読み出しが開始されるように、バッファ２０２の読み出しを制御する。これにより、映像表示部２１１で映像表示が破綻なく、正常に行えるようにする。
【００７１】
読み出し開始後は、読み出し制御部２０３は、バッファ２０２に記憶された映像信号を、映像の破綻が生じないように、映像表示規格に沿ったタイミングでバッファ２０２から読み出して、映像表示部２１１に対する供給を続け、これにより、映像表示部２１０において、映像表示が正常にできるようにする。読み出し制御部２０３は、バッファ２０２から映像信号を読み出す際に、映像信号同期情報をも読み出して、ブランキング期間の同期信号を生成して、同期信号を含む映像信号を復元して、映像表示部２１０に供給する。
【００７２】
以上の構成により、実施の形態５でも実施の形態１と同様の効果が得られる。
また、受信端末２００で無線ＬＡＮビーコンの検出及び解析を行うので、送信端末１００の負担を軽減することができる。
さらに、受信端末２００における無線ＬＡＮビーコンの影響をより直接的に検出し、評価することができる。
【００７３】
実施の形態６．
図８は実施の形態６における送信端末１００及び受信端末２００の構成例を示す。図８において、図７と同じ符号は同一ないし対応する部材を示す。図８に示される受信端末２００は、図７に示される送信端末１００と概して同じであるが、他機受信ビーコン解析部１０７の代わりに、占有期間推測部１０６を備えている。
【００７４】
実施の形態５では、受信端末２００における無線ＬＡＮビーコンの受信時刻（検出タミング）と無線ＬＡＮビーコン信号（受信した無線ＬＡＮビーコン信号に含まれるすべてのデータ）をビーコン受信状況データとして、送信端末１００に送信し、送信端末１００の他機受信ビーコン解析部１０７により、ビーコンの占有期間の推測を行っているが、実施の形態６では、無線ＬＡＮビーコンの受信時刻と送信周期を示す情報を、通信部２０１により送信端末１００に送信する。
【００７５】
送信端末１００では、受信端末２００から送信された情報を、占有期間推測部１０６に伝え、占有期間推測部１０６で供給された情報（無線ＬＡＮビーコンの受信時刻と送信周期を示す情報）に基づいて、占有期間を推測する。
推測の結果得られる占有期間を示す情報は、通信制御部１０３に伝えられる。
通信制御部１０３は、供給された占有期間を示す情報に基づいて、実施の形態５と同様にバッファからの読み出しの制御及び通信部１０１による映像信号の送信の制御を行う。
【００７６】
以上の構成により、実施の形態６でも実施の形態５と同様の効果が得られる。
また、受信端末２００から送信端末１００に送信する情報の量が少なくて済む。
さらに、送信端末１００の他機受信ビーコン解析部１０７を省略することができる。
【００７７】
なお、受信端末２００のビーコン解析部２０５による解析の結果得られる、推測されるビーコンの占有期間を示す情報と、ビーコン信号の周期情報を、受信端末２００の通信部２０１から送信端末１００の通信部１０１を介して通信制御部１０３に送信して、該通信制御部１０３では、送信された推測される占有期間を示す情報及びビーコン信号の周期情報、並びに映像信号同期情報に基づいて、バッファ１０２の読み出しの制御及び通信部１０１の通信の制御を行うこととしても良い。
【００７８】
実施の形態７．
実施の形態７で用いられる送信端末１００及び受信端末２００の構成を示すブロック図は、図７と同じである。
実施の形態５では、受信端末２００において、読み出し制御部２０３によりバッファ２０２の読み出しの制御、特にその読み出し開始の制御、従って、バッファ容量の上限の決定を行うが、実施の形態７では、送信端末１００においても、通信制御部１０３がバッファ１０２の読み出しの制御、特にその読み出し開始の制御、従って、バッファ容量の上限の決定を行う。通信制御部１０３におけるバッファ１０２の読み出し開始の制御、即ち上限の決定は、実施の形態５に関して説明した、受信端末２００における、読み出し制御部２０３によるバッファ２０２の読み出し開始の制御と同様である。
【００７９】
また、受信端末２００において映像出力が破綻なく行われるためのバッファ容量を、送信端末１００の他機受信ビーコン解析部１０７で算出し、受信端末２００に知らせ、受信端末２００の読み出し制御部２０３では、送信端末から知らされたバッファ容量に基づいてバッファ２０２の読み出し制御を行うこととしても良い。
このようにすれば、バッファ容量の計算を、送信端末１００でまとめて行うことができ、受信端末２００における処理負担を減らすことができる。
【００８０】
以上、実施の形態１乃至７に関して説明したように、ビーコン信号の検出は、送信端末１００で行っても良く、受信端末２００で行っても良い。さらに、送信端末１００と受信端末２００の双方でビーコンの検出を行うこととしても良い。特許請求の範囲のおける、モニター手段は、送信端末におけるビーコン受信部又は受信端末におけるビーコン受信部、又は両者の組合せを意味する。
また、検出したビーコン信号の解析は、送信端末１００で行っても良く、受信端末２００で行っても良く、上記解析の機能の一部を送信端末１００及び受信端末２００の一方で行ない、残りを送信端末及び受信端末の他方で行うようにしても良く、双方で同様の解析を行うこととしても良い。特許請求の範囲のおける、解析手段は、送信端末１００におけるビーコン解析部１０５、他機受信ビーコン解析部１０７、又は受信端末２００におけるビーコン解析部２０５、又はこれらの組合せを意味する。
さらに、ビーコンの発信の期間の推測は、ビーコン解析部１０５、又は２０５、又は他機受信ビーコン解析部１０７で行われる場合のほか、占有期間推測部１０６又は２０６で行われる場合もあり、ビーコン解析部１０５、２０５、他機受信ビーコン解析部１０７、及び占有期間推測部１０６、２０６のいずれも、「ビーコン信号が発信される期間を推測する手段」に該当する。
【符号の説明】
【００８１】
１００  送信端末、  １０１  通信部、  １０２  バッファ、  １０３  通信制御部、  １０４  ビーコン受信部、  １０５  ビーコン解析部、  １０６  占有期間推測部、  １０７  他機受信ビーコン解析部、  １１０  映像供給源、  ２００  受信端末、  ２０１  通信部、  ２０３  読み出し制御部、  ２０２  バッファ、  ２０４  ビーコン受信部、  ２０５  ビーコン解析部、  ２０６  占有期間推測部、  ２１０  映像表示部、  ３００  アクセスポイント、  ３１０  無線ＬＡＮ端末、  ４００  無線通信ネットワーク。
【図１】
0005449010.tif 000002
【図２】
0005449010.tif 000003
【図３】
0005449010.tif 000004
【図４】
0005449010.tif 000005
【図５】
0005449010.tif 000006
【図６】
0005449010.tif 000007
【図７】
0005449010.tif 000008
【図８】
0005449010.tif 000009